(57)【特許請求の範囲】
【請求項１】
少なくとも最内面にシーラント層を有する表裏二枚の複合フィルムをシールすることにより、一辺の開口辺を残してこのシールによって囲まれた内容物収納部を形成させた軟包装袋において、
前記内容物収納部を囲むシールのうち、内容物収納部の両側に形成された２本の縦シール部であって、軟包装袋の縦方向に伸びる２本の前記縦シール部の少なくとも一方の縦シール部に連設して、独立気室が形成されており、
この独立気室は、前記一方の縦シール部とこれに対向して設けられた縦シール部との間に形成されており、エアが封入された未シール状態の部位であって、軟包装袋の上部近傍から下部近傍まで連続して形成されており、
この独立気室を挟む２本の縦シール部は、いずれも、中央が狭幅で、上端および下端に行くにしたがい広幅となり、上端および下端にあっては左右の縦シール部が左右対称に密着して形成されていることを特徴とするスタンディングパウチから成り、自立性を有する軟包装袋。
【請求項２】
少なくとも最内面にシーラント層を有する表裏二枚の複合フィルムをシールすることにより、一辺の開口辺を残してこのシールによって囲まれた内容物収納部を形成させた軟包装袋において、
前記内容物収納部を囲むシールのうち、内容物収納部の両側に形成された２本の縦シール部であって、軟包装袋の縦方向に伸びる２本の前記縦シール部の少なくとも一方の縦シール部に連設して、独立気室が形成されており、
この独立気室は、前記一方の縦シール部とこれに対向して設けられた縦シール部との間に形成されており、エアが封入された未シール状態の部位であって、軟包装袋の上部近傍から下部近傍まで連続して形成されており、
この独立気室を挟む２本の縦シール部のうち、内容物収納部と独立気室との間に位置する縦シール部は、中央が狭幅で、上端および下端に行くにしたがい広幅となっており、上端および下端にあっては、独立気室を挟む２本の縦シール部のうち、もう一方の外側に位置する縦シール部に密着して形成されていることを特徴とするスタンディングパウチから成り、自立性を有する軟包装袋。
【請求項３】
少なくとも最内面にシーラント層を有する表裏二枚の複合フィルムをシールすることにより、一辺の開口辺を残してこのシールによって囲まれた内容物収納部を形成させた軟包
装袋において、
前記内容物収納部を囲むシールのうち、内容物収納部の両側に形成された２本の縦シール部であって、軟包装袋の縦方向に伸びる２本の前記縦シール部の少なくとも一方の縦シール部に連設して、独立気室が形成されており、
この独立気室は、前記一方の縦シール部とこれに対向して設けられた縦シール部との間に形成されており、エアが封入された未シール状態の部位であって、軟包装袋の上部近傍から下部近傍まで連続して形成されており、
この独立気室を挟む２本の縦シール部のうち、内容物収納部とは反対側に位置する縦シール部は、中央が狭幅で、上端および下端に行くにしたがい広幅となっており、上端および下端にあっては、内容物収納部と独立気室との間に位置する縦シール部に密着して形成されていることを特徴とするスタンディングパウチから成り、自立性を有する軟包装袋。
【発明の詳細な説明】
【技術分野】
【０００１】
本発明は、自立性を有する軟包装袋に関し、特には、内容物収納部の隣にエア等が封入された柱状の独立気室を設けた自立性を有する軟包装袋に関するものである。
【背景技術】
【０００２】
従来の軟包装材料を用いて作製した液体、固液混合体、粉体等を包装する包装袋を主体とする軟包装袋においては、圧縮性やフレキシブル性に優れる反面、容器としての保形性に乏しく、このため様々な弊害を有している。
【０００３】
一方、ペットボトルをはじめとするプラスチック成形容器やガラスびん等の剛性容器は、使用時のハンドリング性には優れているものの、未使用時の圧縮性やフレキシブル性は損なわれており、かつ、容器の形成や内容物の充填封入工程において大規模な設備を必要とする等の難点があった。
【０００４】
例えば、液体容器の分野においては、びんやペットボトルに代わる容器として、紙とプラスチックフィルムを貼り合わせて箱状の容器とした紙パックが使用されているが、この場合は容器の外形を保持する手段として高価な紙を使用せねばならず、コスト高、かつ、環境面での負担も大きいものであった。
【０００５】
近年、自立性を有する軟包装容器としてスタンディングパウチが広い分野で採用されており、使い切りユースの詰め替え用から再封性を有したものまで様々な用途に使用されているが、陳列時や内容物残少時の腰砕けや中身を開け替える際には両手で保持する必要がある等の問題を有しており、注出口に別部材を取り付けたり比較的厚みのある包装材料を用いたり、製袋形状を工夫するなど様々な試みがなされている。
【０００６】
その一例として、軟包装袋に内容物の収納部とは別に、内容物収納部の隣に支持構造となりうる空隙部を設けて、この空隙部に大気圧以上の気圧を有するエアを封入して独立気室を形成させ、自立性を持たせた構造の軟包装袋がある（例えば、特許文献１参照）。
【０００７】
上記先行技術文献を示す。
【特許文献１】特願２００４−２１３９５５号公報
【０００８】
しかしこの発明では、図７に示すように、独立気室（１０１）にエアを封入すると独立気室のフィルムの中央に向かって引っ張る力が発生する。この力が独立気室（１０１）の内容物収納部（１０２）側でない外側の縦シール部（１０３）を引っ張るため、縦シール部（１０３）に撓みができてしまい、外観不良の原因となっている。
【発明の開示】
【発明が解決しようとする課題】
【０００９】
本発明は、自立性を有する軟包装袋に関する以上のような問題に鑑みてなされたもので、内容物収納部の隣に形成される独立気室のシール部にしわ等がよらず，見栄えの良い自立性を有する軟包装袋を提供することを課題とする。
【課題を解決するための手段】
【００１０】
本発明の請求項１の発明は、少なくとも最内面にシーラント層を有する表裏二枚の複合フィルムをシールすることにより、一辺の開口辺を残してこのシールによって囲まれた内容物収納部を形成させた軟包装袋において、
前記内容物収納部を囲むシールのうち、内容物収納部の両側に形成された２本の縦シール部であって、軟包装袋の縦方向に伸びる２本の前記縦シール部の少なくとも一方の縦シール部に連設して、独立気室が形成されており、
この独立気室は、前記一方の縦シール部とこれに対向して設けられた縦シール部との間に形成されており、エアが封入された未シール状態の部位であって、軟包装袋の上部近傍から下部近傍まで連続して形成されており、
この独立気室を挟む２本の縦シール部は、いずれも、中央が狭幅で、上端および下端に行くにしたがい広幅となり、上端および下端にあっては左右の縦シール部が左右対称に密着して形成されていることを特徴とするスタンディングパウチから成り、自立性を有する軟包装袋である。
【００１１】
このように請求項１記載の発明によれば、独立気室を挟む２本の縦シール部は、いずれも、中央が狭幅で、上端および下端に行くにしたがい広幅となり、上端および下端にあっては左右の縦シール部が左右対称に密着して形成されているので、独立気室にエアを封入しても周縁の縦シール部にしわがよることがなく、見栄えの良い自立性を有する軟包装袋となる。
【００１２】
また、請求項２の発明は、少なくとも最内面にシーラント層を有する表裏二枚の複合フィルムをシールすることにより、一辺の開口辺を残してこのシールによって囲まれた内容物収納部を形成させた軟包装袋において、
前記内容物収納部を囲むシールのうち、内容物収納部の両側に形成された２本の縦シール部であって、軟包装袋の縦方向に伸びる２本の前記縦シール部の少なくとも一方の縦シール部に連設して、独立気室が形成されており、
この独立気室は、前記一方の縦シール部とこれに対向して設けられた縦シール部との間に形成されており、エアが封入された未シール状態の部位であって、軟包装袋の上部近傍から下部近傍まで連続して形成されており、
この独立気室を挟む２本の縦シール部のうち、内容物収納部と独立気室との間に位置する縦シール部は、中央が狭幅で、上端および下端に行くにしたがい広幅となっており、上端および下端にあっては、独立気室を挟む２本の縦シール部のうち、もう一方の外側に位置する縦シール部に密着して形成されていることを特徴とするスタンディングパウチから成り、自立性を有する軟包装袋である。
【００１３】
このように請求項２記載の発明によれば、独立気室を挟む２本の縦シール部のうち、内容物収納部と独立気室との間に位置する位置する縦シール部は、中央が狭幅で、上端および下端に行くにしたがい広幅となっており、上端および下端にあっては、独立気室を挟む２本の縦シール部のうち、もう一方の外側に位置する縦シール部に密着して形成されてい
るので、独立気室にエアを封入しても周縁の縦シール部にしわがよることがなく、見栄えの良い自立性を有する軟包装袋となる。
【００１４】
また、請求項３の発明は、少なくとも最内面にシーラント層を有する表裏二枚の複合フィルムをシールすることにより、一辺の開口辺を残してこのシールによって囲まれた内容物収納部を形成させた軟包装袋において、
前記内容物収納部を囲むシールのうち、内容物収納部の両側に形成された２本の縦シール部であって、軟包装袋の縦方向に伸びる２本の前記縦シール部の少なくとも一方の縦シール部に連設して、独立気室が形成されており、
この独立気室は、前記一方の縦シール部とこれに対向して設けられた縦シール部との間に形成されており、エアが封入された未シール状態の部位であって、軟包装袋の上部近傍から下部近傍まで連続して形成されており、
この独立気室を挟む２本の縦シール部のうち、内容物収納部とは反対側に位置する縦シール部は、中央が狭幅で、上端および下端に行くにしたがい広幅となっており、上端および下端にあっては、内容物収納部と独立気室との間に位置する縦シール部に密着して形成されていることを特徴とするスタンディングパウチから成り、自立性を有する軟包装袋である。
【００１５】
このように請求項３記載の発明によれば、独立気室を挟む２本の縦シール部のうち、内容物収納部とは反対側に位置する縦シール部は、中央が狭幅で、上端および下端に行くにしたがい広幅となっており、上端および下端にあっては、内容物収納部と独立気室との間に位置する位置する縦シール部に密着して形成されているので、独立気室にエアを封入しても周縁の縦シール部にしわがよることがなく、見栄えの良い自立性を有する軟包装袋となる。
【００１６】
(削除)
【００１７】
(削除)
【発明の効果】
【００２０】
このように本発明の自立性を有する軟包装袋は、独立気室の上端のシール形状を逆Ｖ字状に、独立気室の下端のシール形状をＶ字状にすることで、独立気室が膨らむ際に発生する、フィルムを中央に引っ張る力を緩和でき、その結果、独立気室の二本の縦シールのうち外側の縦シールに発生するたわみを解消することができた。
【発明を実施するための最良の形態】
【００２１】
本発明を一実施形態に基づいて以下に詳細に説明する。
本発明の自立性を有する軟包装袋（１０）は、例えば、図１に示すように、少なくとも最内面にシーラント層を有する表裏二枚の複合フィルムの周縁をシールしてシール部（１１、１２）を形成させ、内部に内容物収納部（１３）を形成させたものである。
【００２２】
そして、軟包装袋の両側に形成される縦シール部（１２）の少なくとも一方の縦シール部の先には、軟包装袋の上部近傍から下部近傍まで連続して中央部分が未シール状態のエアが封入された独立気室（１４）が形成され、該独立気室の左側および右側の縦シール部（１５、１６）は、中央が狭幅で、上端および下端に行くにしたがい広幅となり、上端お
よび下端にあっては左右の縦シールが左右対称に密着して形成されている。
【００２３】
独立気室（１４）と内容物収納部（１３）とは、独立気室の内容物収納部側に形成されたエア封入口（図示せず）を介して連通している。内容物収納部（１３）を介して独立気室（１４）にエア送入後は、ヒートシールやインパルスシール，超音波シールといった公知のシール方法により、エア封入口は密封シールされる。
【００２４】
このように、内容物収納部（１３）の両側に形成されるシール部（１２）の少なくとも一方のシール部にエアが封入された独立気室（１４）が形成されるので、内容物収納部（１３）に、例えば、液状や粉体状、顆粒状等の内容物を収納後、開口辺を密封シールして内容物を充填した軟包装袋は、柱状の独立気室（１４）に支えられて自立している。
【００２５】
また、柱状の独立気室（１４）の周囲に形成されるシール部の形状については、左側および右側の縦シール部（１５、１６）は、中央が狭幅で、上端および下端に行くにしたがい広幅となり、上端および下端にあっては左右の縦シールが左右対称に密着して形成されている。上側および下側のシール部は、通常の帯状のシールである。すなわち、上端縁近傍にあっては逆Ｖ字状にシールされ、下端縁近傍にあってはＶ字状にシールされている。このような形状にすることにより、エアを封入して独立気室（１４）を膨らませた際、上下に長い縦シール部（１５、１６）が引っ張られても縦シール部（１５、１６）が撓むことがなく、外観不良が発生しない。
【００２６】
軟包装袋は、三方シール袋、四方シール袋、ガゼットピロー袋、スタンディングパウチ、口栓付きパウチ等，任意の形状に対応できるが、スタンディングパウチにすることにより自立性はさらに安定したものとなる。
【００２７】
独立気室（１４）に封入する物質もエアに限らず、例えば、窒素ガス等の気体であっても、水のような液体であっても構わない。
【００２８】
独立気室（１４）の左側および右側の縦シール部（１５、１６）の形状は、この他に、図２に示すような、独立気室（１４）の内容物収納部（１３）側に位置する縦シール部（１５）は、中央が狭幅で、上端および下端に行くにしたがい広幅となり、上端および下端にあっては、もう一方の外側に位置する縦シール部（１６）に密着して形成している形状としても良い。
【００２９】
また、図３に示すような、独立気室（１４）の外側に位置する縦シール部（１６）を、中央が狭幅で、上端および下端に行くにしたがい広幅となり、上端および下端にあっては、もう一方の内側に位置する縦シール部（１５）に密着して形成されている形状としても良い。
【００３０】
以下実施例により本発明を詳細に説明する。
【実施例】
【００３１】
（実施例）
胴部材フィルム及び底部材フィルムとして、〔外側〕二軸延伸ナイロンフィルム（厚さ１５μｍ）／二軸延伸ポリプロピレンフィルム（厚さ２５μｍ）／酸化アルミニウムの薄膜を４００ｎｍの厚さに設けた二軸延伸ポリエステルフィルム（厚さ１２μｍ）／直鎖状低密度ポリエチレンフィルム（厚さ１００μｍ）〔内側〕の層構成からなる複合フィルムを準備した。
【００３２】
この複合フィルムを使用して全高；２５０ｍｍ、全幅；１５０ｍｍ、シール幅；５ｍｍ
、独立気室の内のり高さ；１８０ｍｍ、独立気室の内のり幅；１２ｍｍ、の図５に示すような独立気室の中央部分のシール幅が最小で、上端および下端に行くにしたがい徐々に広幅となり、上端および下端にあっては左右の縦シール部が左右対称に密着して形成され、シール部の形状は上端が逆Ｖ字状に、また、独立気室の下端がＶ字状になった実施例１の軟包装袋であるスタンディングパウチを製袋した。
【００３３】
（比較例）
独立気室を通常の長方形（４隅が９０°）とした以外は実施例１と同じ複合フィルムを使用し、同じ寸法の図６に示す比較例の軟包装袋であるスタンディングパウチを製袋した。
【００３４】
このようにして作製した実施例と比較例のスタンディングパウチについて、独立気室に東洋自動機株式会社製のエア封入機にて空気（圧力；０．２５ＭＰａ）を充填し密封したところ、実施例については外側シール部のたわみは認められないのに対して、比較例については縦シールの外側においてたわみが発生した。
【図面の簡単な説明】
【００３５】
【図１】本発明の自立性を有する軟包装袋の一実施例を示す、模式説明図である。
【図２】本発明の自立性を有する軟包装袋の別の実施例を示す、模式説明図である。
【図３】本発明の自立性を有する軟包装袋のさらに別の実施例を示す、模式説明図である。
【図４】本発明の自立性を有する軟包装袋のさらに別の実施例を示す、模式説明図である。
【図５】エア封入前における実施例の軟包装袋の主要部分の寸法を記入した説明図である。
【図６】エア封入後における、従来の自立性を有する軟包装袋の主要部分の寸法を記入した説明図である。
【図７】エア封入後における、従来の自立性を有する軟包装袋の一例を示す、模式説明図である。
【符号の説明】
【００３６】
１‥‥複合フィルム
２‥‥シーラント層
１０‥‥自立性を有する軟包装袋
１１‥‥シール部
１２‥‥シール部、縦シール部
１３‥‥内容物収納部
１４‥‥独立気室
１５‥‥縦シール部
１６‥‥縦シール部
１０１‥‥独立気室
１０２‥‥内容物収納部
１０３‥‥縦シール部
【図１】
0005130629.tif 000002
【図２】
0005130629.tif 000003
【図３】
0005130629.tif 000004
【図４】
0005130629.tif 000005
【図５】
0005130629.tif 000006
【図６】
0005130629.tif 000007
【図７】
0005130629.tif 000008